(57)【特許請求の範囲】
【請求項１】
無線接続システムにおいてＭ２Ｍ機器に制御メッセージを放送する方法であって、
前記制御メッセージが送信されるリソース領域を表すリソース割当情報及びＭ２Ｍ管理接続識別子（Ｍ２Ｍ  ｍａｎａｇｅｍｅｎｔ  ＣＩＤ）を含む下りリンクマップ情報要素（ＩＥ）を受信することと、
前記リソース領域で放送される前記制御メッセージを含む媒体接続制御プロトコルデータユニット（ＭＡＣ  ＰＤＵ）を受信することと、
を含み、
前記ＭＡＣ  ＰＤＵには、前記Ｍ２Ｍ管理ＣＩＤ、及び前記Ｍ２Ｍ機器の属したＭ２Ｍグループを識別するＭ２Ｍ接続識別子（Ｍ２ＭＣＩＤ）が含まれる、制御メッセージ放送方法。
【請求項２】
前記Ｍ２Ｍ管理ＣＩＤは、前記Ｍ２Ｍ機器に対する下りリンク放送情報の送信のためのバーストを表すために前記下りリンクマップ情報要素に用いられる、請求項１に記載の制御メッセージ放送方法。
【請求項３】
前記Ｍ２Ｍ管理ＣＩＤは、前記ＭＡＣ  ＰＤＵに含まれるＭＡＣヘッダーに含まれ、
前記Ｍ２ＭＣＩＤは、前記ＭＡＣ  ＰＤＵに含まれるペイロードに含まれる、請求項１に記載の制御メッセージ放送方法。
【請求項４】
前記ＭＡＣヘッダーには、前記ペイロードに含まれる前記制御メッセージが暗号化されるか否かを表す暗号化制御（ＥＣ）フィールドがさらに含まれる、請求項３に記載の制御メッセージ放送方法。
【請求項５】
前記制御メッセージは、Ｍ２Ｍマルチキャスト終了指示（ＭＯＢ−ＭＴＥ−ＩＮＤ）メッセージ又はＭ２ＭグループＭＡＣ制御（ＭＧＭＣ）メッセージのいずれか一つである、請求項１に記載の制御メッセージ放送方法。
【請求項６】
無線接続システムにおいてＭ２Ｍ機器に制御メッセージを放送する方法であって、
前記制御メッセージが送信されるリソース領域を表すリソース割当情報及びＭ２Ｍ管理接続識別子（Ｍ２Ｍ  ｍａｎａｇｅｍｅｎｔ  ＣＩＤ）を含む下りリンクマップ情報要素（ＩＥ）を送信することと、
前記リソース領域を通じて前記制御メッセージを含む媒体接続制御プロトコルデータユニット（ＭＡＣ  ＰＤＵ）を放送することと、
を含み、
前記ＭＡＣ  ＰＤＵには、前記Ｍ２Ｍ管理ＣＩＤ、及び前記Ｍ２Ｍ機器の属したＭ２Ｍグループを識別するＭ２Ｍ接続識別子（Ｍ２ＭＣＩＤ）が含まれる、制御メッセージ放送方法。
【請求項７】
前記Ｍ２Ｍ管理ＣＩＤは、前記Ｍ２Ｍ機器に対する下りリンク放送情報の送信のためのバーストを表すために前記下りリンクマップ情報要素に用いられる、請求項６に記載の制御メッセージ放送方法。
【請求項８】
前記Ｍ２Ｍ管理ＣＩＤは、前記ＭＡＣ  ＰＤＵに含まれるＭＡＣヘッダーに含まれ、
前記Ｍ２ＭＣＩＤは、前記ＭＡＣ  ＰＤＵに含まれるペイロードに含まれる、請求項６に記載の制御メッセージ放送方法。
【請求項９】
前記ＭＡＣヘッダーには、前記ペイロードに含まれる前記制御メッセージが暗号化されるか否かを表す暗号化制御（ＥＣ）フィールドがさらに含まれる、請求項８に記載の制御メッセージ放送方法。
【請求項１０】
前記制御メッセージは、Ｍ２Ｍマルチキャスト終了指示（ＭＯＢ−ＭＴＥ−ＩＮＤ）メッセージ又はＭ２ＭグループＭＡＣ制御（ＭＧＭＣ）メッセージのいずれか一つである、請求項６に記載の制御メッセージ放送方法。
【請求項１１】
無線接続システムにおいて放送される制御メッセージを受信するＭ２Ｍ機器であって、
前記Ｍ２Ｍ機器は、
受信器と、
前記放送される制御メッセージの受信を制御するプロセッサと、
を備え、
前記Ｍ２Ｍ機器は、
前記制御メッセージが送信されるリソース領域を表すリソース割当情報及びＭ２Ｍ管理接続識別子（Ｍ２Ｍ  ｍａｎａｇｅｍｅｎｔ  ＣＩＤ）を含む下りリンクマップ情報要素（ＩＥ）を前記受信器を介して受信し、
前記リソース領域で放送される前記制御メッセージを含む媒体接続制御プロトコルデータユニット（ＭＡＣ  ＰＤＵ）を前記受信器を介して受信し、
前記ＭＡＣ  ＰＤＵには、前記Ｍ２Ｍ管理ＣＩＤ、及び前記Ｍ２Ｍ機器の属したＭ２Ｍグループを識別するＭ２Ｍ接続識別子（Ｍ２ＭＣＩＤ）が含まれる、Ｍ２Ｍ機器。
【請求項１２】
前記Ｍ２Ｍ管理ＣＩＤは、前記Ｍ２Ｍ機器に対する下りリンク放送情報の送信のためのバーストを表すために前記下りリンクマップ情報要素に用いられる、請求項１１に記載のＭ２Ｍ機器。
【請求項１３】
前記Ｍ２Ｍ管理ＣＩＤは、前記ＭＡＣ  ＰＤＵに含まれるＭＡＣヘッダーに含まれ、
前記Ｍ２ＭＣＩＤは、前記ＭＡＣ  ＰＤＵに含まれるペイロードに含まれる、請求項１１に記載のＭ２Ｍ機器。
【請求項１４】
前記ＭＡＣヘッダーには、前記ペイロードに含まれる前記制御メッセージが暗号化されるか否かを表す暗号化制御（ＥＣ）フィールドがさらに含まれる、請求項１３に記載のＭ２Ｍ機器。
【請求項１５】
前記制御メッセージは、Ｍ２Ｍマルチキャスト終了指示（ＭＯＢ−ＭＴＥ−ＩＮＤ）メッセージ又はＭ２ＭグループＭＡＣ制御（ＭＧＭＣ）メッセージのいずれか一つである、請求項１１に記載のＭ２Ｍ機器。
【請求項１６】
無線接続システムにおいてＭ２Ｍ機器に制御メッセージを放送する基地局であって、
送信器と、
前記制御メッセージの放送を制御するプロセッサと、
を備え、
前記基地局は、
前記制御メッセージが送信されるリソース領域を表すリソース割当情報及びＭ２Ｍ管理接続識別子（Ｍ２Ｍ  ｍａｎａｇｅｍｅｎｔ  ＣＩＤ）を含む下りリンクマップ情報要素（ＩＥ）を前記送信器を介して送信し、
前記リソース領域を通じて前記制御メッセージを含む媒体接続制御プロトコルデータユニット（ＭＡＣ  ＰＤＵ）を前記送信器を介して放送し、
前記ＭＡＣ  ＰＤＵには、前記Ｍ２Ｍ管理ＣＩＤ、及び前記Ｍ２Ｍ機器の属したＭ２Ｍグループを識別するＭ２Ｍ接続識別子（Ｍ２ＭＣＩＤ）が含まれる、基地局。
【請求項１７】
前記Ｍ２Ｍ管理ＣＩＤは、前記Ｍ２Ｍ機器に対する下りリンク放送情報の送信のためのバーストを表すために前記下りリンクマップ情報要素に用いられる、請求項１６に記載の基地局。
【請求項１８】
前記Ｍ２Ｍ管理ＣＩＤは、前記ＭＡＣ  ＰＤＵに含まれるＭＡＣヘッダーに含まれ、
前記Ｍ２ＭＣＩＤは、前記ＭＡＣ  ＰＤＵに含まれるペイロードに含まれる、請求項１６に記載の基地局。
【請求項１９】
前記ＭＡＣヘッダーには、前記ペイロードに含まれる前記制御メッセージが暗号化されるか否かを表す暗号化制御（ＥＣ）フィールドがさらに含まれる、請求項１８に記載の基地局。
【請求項２０】
前記制御メッセージは、Ｍ２Ｍマルチキャスト終了指示（ＭＯＢ−ＭＴＥ−ＩＮＤ）メッセージ又はＭ２ＭグループＭＡＣ制御（ＭＧＭＣ）メッセージのいずれか一つである、請求項１６に記載の基地局。
【発明の詳細な説明】
【技術分野】
【０００１】
本発明は、Ｍ２Ｍ環境を支援する無線接続システムに係り、特に、媒体接続制御（ＭＡＣ：Ｍｅｄｉｕｍ  Ａｃｃｅｓｓ  Ｃｏｎｔｒｏｌ）メッセージをブロードキャストする方法及び装置に関する。
【背景技術】
【０００２】
以下では、本発明において機器間通信環境について簡略に説明する。
【０００３】
機器間通信（Ｍａｃｈｉｎｅ  ｔｏ  Ｍａｃｈｉｎｅ；以下、Ｍ２Ｍ）は、言葉の通り、電子装置と電子装置間の通信を意味する。広義には、電子装置間の有線或いは無線通信や、人間が制御する装置と機械間の通信のことを意味する。しかし、最近では、人間が介入することなく行われる電子装置と電子装置間の無線通信のことを指すのが一般的である。
【０００４】
Ｍ２Ｍ通信は、その概念が初めて導入された１９９０年代初期には、遠隔調整やテレマティックス程度の概念として認識されたし、派生する市場自体も非常に限定されていたが、ここ数年間高速成長を重ねながら、全世界的に注目される市場へと成長してきた。特に、販売管理システム（ＰＯＳ：Ｐｏｉｎｔ  Ｏｆ  Ｓａｌｅｓ）及び保安関連応用市場における物流管理（Ｆｌｅｅｔ  Ｍａｎａｇｅｍｅｎｔ）と、機械及び設備の遠隔モニタリング、建設機械設備上の作動時間測定及び熱や電気使用量の自動測定を行う知能検針（Ｓｍａｒｔ  Ｍｅｔｅｒ）などの分野において大きな影響力を発揮してきた。将来のＭ２Ｍ通信は、既存の移動通信及び無線超高速インターネットやＷｉ−Ｆｉ及びＺｉｇｂｅｅ（登録商標）などの小出力通信ソリューションと連係してより多様な用途に活用され、これまでのＢ２Ｂ（Ｂｕｓｉｎｅｓｓ  ｔｏ  Ｂｕｓｉｎｅｓｓ）市場に限らず、Ｂ２Ｃ（Ｂｕｓｉｎｅｓｓ  ｔｏ  Ｃｏｎｓｕｍｅｒ）市場へとその領域が拡大する見込みである。
【０００５】
Ｍ２Ｍ通信時代において、ＳＩＭ（Ｓｕｂｓｃｒｉｂｅｒ  Ｉｄｅｎｔｉｔｙ  Ｍｏｄｕｌｅ）カードを装着した機械はいずれもデータ送受信が可能となり、遠隔管理及び統制をすることができる。例えば、自動車、トラック、電車、コンテナ、自動販売機、ガスタンクなどを含む数多くの機器や装備にＭ２Ｍ通信技術が利用されるなど、その適用範囲は非常に広範囲である。
【０００６】
従来では、端末を個別単位に管理するのが一般的であり、基地局と端末間の通信は一対一通信方式で行われていた。このような一対一通信方式で数多くのＭ２Ｍ機器が基地局と通信するとすれば、各Ｍ２Ｍ機器と基地局間に発生するシグナリングによるネットワーク過負荷が予想される。上述したように、Ｍ２Ｍ通信が急に拡散され広範囲化する場合、それらＭ２Ｍ機器同士間、又は各Ｍ２Ｍ機器と基地局間の通信によるオーバーヘッド（ｏｖｅｒｈｅａｄ）が問題になることがある。
【０００７】
また、Ｍ２Ｍ機器の使用が活性化するにつれて一般端末とＭ２Ｍ機器とが混在する環境が作られる。この環境で、既存の通信方法をそのまま利用すると、一般端末がＭ２Ｍ機器に関するメッセージも全てデコードしなければならないという問題が発生することがある。
【０００８】
例えば、ブロードキャストデータ又はマルチキャストデータは、基地局から一対多で送信されるメッセージであって、Ｍ２Ｍ機器と一般端末とを区別することなく送信されると、一般端末及びＭ２Ｍ機器は、送信される全てのブロードキャストデータをデコードしな
ければならず、電力消耗が急激に増加する他、本来受信すべきデータを受信できなくなる問題も発生することがある。
【０００９】
また、Ｍ２Ｍ機器に送信されるＭＡＣ制御メッセージはブロードキャスト形態で送信されるため、Ｍ２Ｍ機器は、ＭＡＣ制御メッセージ（例えば、ＭＯＢ−ＭＴＥ−ＩＮＤ、ＭＧＭＣ）が当該Ｍ２Ｍ機器の属したＭ２Ｍグループに関するメッセージでない場合であっても、ＭＯＢ−ＭＴＥ−ＩＮＤメッセージに対するバーストをデコードした後、ＭＡＣ制御メッセージに含まれたＭ２ＭＣＩＤを確認し、自身の属したＭ２Ｍグループに属したものであるか否かを確認する過程を行わなければならない。
【００１０】
そのため、基地局がＭＡＣ制御メッセージを送信する時点に、当該メッセージが一つのＭ２Ｍグループのみに関する情報を含んでいる場合、該グループに属していない他のＭ２Ｍ機器及び一般端末は不必要なＭＡＣ制御メッセージを受信しなければならないという問題があった。
【発明の概要】
【発明が解決しようとする課題】
【００１１】
本発明は、上記のような一般的な技術の問題点を解決するために案出されたもので、その目的は、Ｍ２Ｍ機器に対する効率的な通信方法を提供することにある。
【００１２】
本発明の他の目的は、Ｍ２Ｍ機器専用のメッセージを定義し、それらのメッセージを送信する方法を提供することにある。
【００１３】
本発明の更に他の目的は、Ｍ２Ｍ機器が自身の属したＭ２Ｍグループに関するＭＡＣ制御メッセージのみを受信できる方法を提供することにある。
【００１４】
本発明の更に他の目的は、一般端末の不必要なバーストデコーディングオーバーヘッドを減らし、Ｍ２Ｍ機器の不必要な動作を減らすためにＭＡＣ制御メッセージを放送形式で送信する方法を提供することにある。
【００１５】
本発明の更に他の目的は、既存技術との互換性を極力保障しながら、一般端末とＭ２Ｍ機器とを区別して效率よくＭ２Ｍ機器に対する専用メッセージを放送する方法を提供することにある。
【００１６】
本発明で達成しようとする技術的目的は、以上に言及した事項に制限されず、言及していない他の技術的課題は、以下に説明する本発明の実施例から、本発明の属する技術の分野における通常の知識を有する者にとって考慮されるであろう。
【課題を解決するための手段】
【００１７】
上記の技術的課題を解決するために、本発明は、Ｍ２Ｍ環境を支援する無線接続システムに関するもので、媒体接続制御（ＭＡＣ）制御メッセージをブロードキャストする方法及び装置を提供する。
【００１８】
本発明の一態様として、無線接続システムにおいてＭ２Ｍ機器に制御メッセージを放送する方法は、制御メッセージが送信されるリソース領域を表すリソース割当情報及びＭ２Ｍ管理接続識別子（Ｍ２Ｍ  ｍａｎａｇｅｍｅｎｔ  ＣＩＤ）を含む下りリンクマップ情報要素（ＩＥ）を受信することと、リソース領域で放送される制御メッセージを含む媒体接続制御プロトコルデータユニット（ＭＡＣ  ＰＤＵ）を受信することと、を含むことができる。ここで、ＭＡＣ  ＰＤＵには、Ｍ２Ｍ管理ＣＩＤ、及びＭ２Ｍ機器の属したＭ２Ｍグループを識別するＭ２Ｍ接続識別子（Ｍ２ＭＣＩＤ）が含まれてもよい。
【００１９】
本発明の他の態様として、無線接続システムにおいてＭ２Ｍ機器に制御メッセージを放送する方法は、制御メッセージが送信されるリソース領域を表すリソース割当情報及びＭ２Ｍ管理接続識別子（Ｍ２Ｍ  ｍａｎａｇｅｍｅｎｔ  ＣＩＤ）を含む下りリンクマップ情報要素（ＩＥ）を送信することと、リソース領域を通じて制御メッセージを含む媒体接続制御プロトコルデータユニット（ＭＡＣ  ＰＤＵ）を放送することと、を含むことができる。ここで、ＭＡＣ  ＰＤＵには、Ｍ２Ｍ管理ＣＩＤ、及びＭ２Ｍ機器の属したＭ２Ｍグループを識別するＭ２Ｍ接続識別子（Ｍ２ＭＣＩＤ）が含まれてもよい。
【００２０】
本発明の更に他の態様として、無線接続システムにおいて放送される制御メッセージを受信するＭ２Ｍ機器は、受信器と、放送される制御メッセージの受信を制御するプロセッサと、を備えることができる。
【００２１】
ここで、Ｍ２Ｍ機器は、制御メッセージが送信されるリソース領域を表すリソース割当情報及びＭ２Ｍ管理接続識別子（Ｍ２Ｍ  ｍａｎａｇｅｍｅｎｔ  ＣＩＤ）を含む下りリンクマップ情報要素（ＩＥ）を受信器を介して受信し、リソース領域で放送される制御メッセージを含む媒体接続制御プロトコルデータユニット（ＭＡＣ  ＰＤＵ）を受信器を介して受信してもよい。ＭＡＣ  ＰＤＵには、Ｍ２Ｍ管理ＣＩＤ、及びＭ２Ｍ機器の属したＭ２Ｍグループを識別するＭ２Ｍ接続識別子（Ｍ２ＭＣＩＤ）が含まれてもよい。
【００２２】
本発明の更に他の態様として、無線接続システムにおいてＭ２Ｍ機器に制御メッセージを放送する基地局は、送信器と、制御メッセージの放送を制御するプロセッサと、を備えることができる。
【００２３】
ここで、基地局は、制御メッセージが送信されるリソース領域を表すリソース割当情報及びＭ２Ｍ管理接続識別子（Ｍ２Ｍ  ｍａｎａｇｅｍｅｎｔ  ＣＩＤ）を含む下りリンクマップ情報要素（ＩＥ）を送信器を介して送信し、リソース領域を通じて制御メッセージを含む媒体接続制御プロトコルデータユニット（ＭＡＣ  ＰＤＵ）を送信器を介して放送してもよい。ここで、ＭＡＣ  ＰＤＵには、Ｍ２Ｍ管理ＣＩＤ、及びＭ２Ｍ機器の属したＭ２Ｍグループを識別するＭ２Ｍ接続識別子（Ｍ２ＭＣＩＤ）が含まれてもよい。
【００２４】
上記の本発明の各態様において、Ｍ２Ｍ管理ＣＩＤは、Ｍ２Ｍ機器に対する下りリンク放送情報の送信のためのバーストを表すために下りリンクマップ情報要素に用いられてもよい。
【００２５】
また、Ｍ２Ｍ管理ＣＩＤは、ＭＡＣ  ＰＤＵに含まれるＭＡＣヘッダーに含まれ、Ｍ２ＭＣＩＤは、ＭＡＣ  ＰＤＵに含まれるペイロードに含まれてもよい。ここで、ＭＡＣヘッダーには、ペイロードに含まれる制御メッセージが暗号化されるか否かを表す暗号化制御（ＥＣ）フィールドがさらに含まれてもよい。
【００２６】
また、制御メッセージは、Ｍ２Ｍマルチキャスト終了指示（ＭＯＢ−ＭＴＥ−ＩＮＤ）メッセージ又はＭ２ＭグループＭＡＣ制御（ＭＧＭＣ）メッセージのいずれか一つであってもよい。
【００２７】
上記本発明の諸態様は、本発明の好適な実施例の一部に過ぎず、本願発明の技術的特徴が反映された様々な実施例が、当該技術の分野における通常の知識を有する者にとって、以下に詳述する本発明の詳細な説明から導出されて理解されるであろう。
【発明の効果】
【００２８】
本発明の実施例によれば、下記のような効果が得られる。
【００２９】
第一に、Ｍ２Ｍ機器に対して效率的にブロードキャストデータを送信することが可能になる。
【００３０】
第二に、Ｍ２Ｍ機器にとっても、自身の属したＭ２Ｍグループに関するＭＡＣ制御メッセージのみを受信し、他のＭ２Ｍグループに関するＭＡＣ制御メッセージは受信しなくて済むため、不必要なデータ受信過程を省くことが可能になる。
【００３１】
第三に、ＭＡＣ制御メッセージをＭ２Ｍ機器のみが受信できるブロードキャスト形式で送信することによって、一般端末の不必要なバーストデコーディングオーバーヘッドを減らし、Ｍ２Ｍ機器の不必要な動作を省くことが可能になる。
【００３２】
第四に、既存技術との互換性を極力保障しながら、一般端末とＭ２Ｍ機器とを区別して效率的にＭ２Ｍ機器に対する専用メッセージをブロードキャストすることが可能になる。
【００３３】
本発明の付加的な利点、目的、特徴は、以下の説明から、又は当業者が以下の説明に基づいて本発明を実施することから容易に理解されるであろう。また、当業者にとって以下の説明に基づいて本発明を実施する上で本発明の予測できない長所を導出することも可能であろう。
【図面の簡単な説明】
【００３４】
添付の図面は、本発明に関する理解を助けるためのもので、詳細な説明と共に本発明の実施例を提供する。ただし、本発明の技術的特徴が特定図面に限定されるものではなく、各図で開示する特徴を組み合わせて新しい実施例とすることもできる。
【図１】図１は、本発明の実施例として、Ｍ２Ｍ機器及び基地局などの装置構成を概略的に説明するための図である。
【図２】図２は、本発明に適用できる、遊休モードでのページング方法の一例を示すフローチャートである。
【図３】図３は、本発明の実施例として、ＭＡＣ制御メッセージをマルチキャスト形式で送信する方法の一例を示す図である。
【図４】図４は、本発明の実施例として、ＭＡＣ制御メッセージをブロードキャスト形式で送信する方法の他の例を示す図である。
【図５】図５は、本発明の実施例として、基地局がＭＡＣ制御メッセージをブロードキャスト形式で送信する過程を示すフローチャートである。
【図６】図６は、本発明の実施例として、ブロードキャスト形式で送信されるＭＡＣ制御メッセージをＭ２Ｍ機器で受信する過程を示すフローチャートである。
【発明を実施するための形態】
【００３５】
本発明の実施例は、Ｍ２Ｍ環境を支援する無線接続システムにおいて、媒体接続制御（ＭＡＣ：Ｍｅｄｉｕｍ  Ａｃｃｅｓｓ  Ｃｏｎｔｒｏｌ）制御メッセージをブロードキャストする方法及び装置を提供する。
【００３６】
以下の実施例は、本発明の構成要素と特徴を所定の形態で結合したものである。各構成要素又は特徴は、特別な明示的言及がない限り、選択的なものとして考慮すればよい。各構成要素又は特徴は、他の構成要素や特徴と結合しない形態で実施してもよく、一部の構成要素及び／又は特徴を結合して本発明の実施例を構成してもよい。本発明の実施例で説明される動作の順序は変更してもよい。ある実施例の一部構成や特徴は、他の実施例に含まれてもよく、又は他の実施例の対応する構成又は特徴に取り替えられてもよい。
【００３７】
図面に関する説明において、本発明の要旨を曖昧にさせると判断される手順又は段階な
どは記述せず、また、当業者のレベルで理解できるような手順又は段階も記述しないものとする。
【００３８】
本明細書では本発明の実施例が基地局と移動局間のデータ送受信関係を中心に説明されている。ここで、基地局は移動局と直接通信を行うネットワークの終端ノード（ｔｅｒｍｉｎａｌ  ｎｏｄｅ）としての意味を有する。本文書で基地局によって行われるとした特定動作は、場合によっては、基地局の上位ノード（ｕｐｐｅｒ  ｎｏｄｅ）によって行われてもよい。
【００３９】
すなわち、基地局を含む複数のネットワークノードで構成されるネットワークにおいて、移動局との通信のために行われる様々な動作は、基地局又は基地局以外の他のネットワークノードによって行われる。ここで、「基地局」は、固定局（ｆｉｘｅｄ  ｓｔａｔｉｏｎ）、Ｎｏｄｅ  Ｂ、ｅＮｏｄｅ  Ｂ（ｅＮＢ）、発展した基地局（ＡＢＳ：Ａｄｖａｎｃｅｄ  Ｂａｓｅ  Ｓｔａｔｉｏｎ）、又はアクセスポイント（ａｃｃｅｓｓ  ｐｏｉｎｔ）などの用語に代替してもよい。
【００４０】
また、「移動局（ＭＳ：Ｍｏｂｉｌｅ  Ｓｔａｔｉｏｎ）」は、ＵＥ（Ｕｓｅｒ  Ｅｑｕｉｐｍｅｎｔ）、ＳＳ（Ｓｕｂｓｃｒｉｂｅｒ  Ｓｔａｔｉｏｎ）、ＭＳＳ（Ｍｏｂｉｌｅ  Ｓｕｂｓｃｒｉｂｅｒ  Ｓｔａｔｉｏｎ）、移動端末（Ｍｏｂｉｌｅ  Ｔｅｒｍｉｎａｌ）、発展した移動端末（ＡＭＳ：Ａｄｖａｎｃｅｄ  Ｍｏｂｉｌｅ  Ｓｔａｔｉｏｎ）、又は端末（Ｔｅｒｍｉｎａｌ）などの用語に代替してもよい。特に、本発明では、移動局をＭ２Ｍ機器と同じ意味で使うことができる。
【００４１】
また、送信端は、データサービス又は音声サービスを提供する固定及び／又は移動ノードのことを意味し、受信端は、データサービス又は音声サービスを受信する固定及び／又は移動ノードのことを意味する。したがって、上りリンクでは移動局を送信端、基地局を受信端とすることができる。同様に、下りリンクでは移動局を受信端、基地局を送信端とすることができる。
【００４２】
本発明の実施例は、無線接続システムであるＩＥＥＥ  ８０２．ｘｘシステム、３ＧＰＰシステム、３ＧＰＰ  ＬＴＥシステム及び３ＧＰＰ２システムの少なくとも一つに開示された標準文書によってサポートすることができる。すなわち、本発明の実施例において説明していない自明な段階又は部分は上記の文書を参照して説明することができる。
【００４３】
また、本文書で開示している全ての用語は、上記標準文書によって説明することができる。特に、本発明の実施例は、ＩＥＥＥ  ８０２．１６システムの標準文書であるＰ８０２．１６ｅ−２００４、Ｐ８０２．１６ｅ−２００５、Ｐ８０２．１６ｍ、Ｐ８０２．１６ｐ及びＰ８０２．１６．１ｂの一つ以上によってサポートすることができる。
【００４４】
以下、本発明の好適な実施の形態を添付の図面を参照して詳細に説明する。添付の図面と共に以下に開示される詳細な説明は、本発明の例示的な実施の形態を説明するためのもので、本発明を実施できる唯一の実施の形態を示すためのものではない。
【００４５】
以下では、添付の図面を参照しつつ本発明の実施例について、本発明の属する技術の分野における通常の知識を有する者が容易に実施できるように詳しく説明する。しかし、本発明は、他の様々な形態で具現されてもよく、ここで説明する実施例に限定されるものではない。なお、図面中、本発明を明確に説明するために、説明と関係していない部分は省略し、明細書全体を通じて同一の部分には同一の図面符号を付するものとする。
【００４６】
明細書全体において、ある部分がある構成要素を「含む」としたとき、これは、特別な
記載がない限り、他の構成要素を除外するという意味ではなく、他の構成要素を更に含んでもよいという意味である。また、明細書に記載された「…部」、「…器」、「モジュール」などの用語は少なくとも一つの機能や動作を処理する単位を意味し、これは、ハードウェア、ソフトウェア、又はハードウェアとソフトウェアとの結合によって具現することができる。
【００４７】
また、本発明の実施例で使用する特定用語は、本発明の理解を助けるために提供されたものであり、このような特定用語の使用は、本発明の技術的思想から逸脱しない範囲で他の形態に変更してもよい。
【００４８】
１．Ｍ２Ｍ機器一般
以下で、Ｍ２Ｍ機器間の通信は、基地局を経由した端末間、人間の介入無しで基地局と端末間で行う通信形態、又はＭ２Ｍ機器間の通信形態を意味する。したがって、Ｍ２Ｍ機器（Ｄｅｖｉｃｅ）は、上記のようなＭ２Ｍ機器の通信をサポートできる端末を意味する。
【００４９】
Ｍ２Ｍサービスのための接続サービスネットワークは、Ｍ２Ｍ  ＡＳＮ（Ｍ２Ｍ  Ａｃｃｅｓｓ  Ｓｅｒｖｉｃｅ  Ｎｅｔｗｏｒｋ）と定義し、Ｍ２Ｍ機器と通信するネットワークエンティティをＭ２Ｍサーバーという。Ｍ２Ｍサーバーは、Ｍ２Ｍアプリケーションを行い、一つ以上のＭ２Ｍ機器のためのＭ２Ｍ特定サービスを提供する。Ｍ２Ｍフィーチャ（ｆｅａｔｕｒｅ）は、Ｍ２Ｍアプリケーションの特徴であり、アプリケーションを提供するために一つ以上の特徴を必要とすることがある。Ｍ２Ｍ機器グループは、共通の一つ以上の特徴を共有するＭ２Ｍ機器のグループを意味する。
【００５０】
Ｍ２Ｍ方式で通信する機器（すなわち、Ｍ２Ｍ機器、Ｍ２Ｍ通信機器、ＭＴＣ（Ｍａｃｈｉｎｅ  Ｔｙｐｅ  Ｃｏｍｍｕｎｉｃａｔｉｏｎ）機器などと様々に呼ぶことができる。）は、その機器アプリケーションタイプ（Ｍａｃｈｉｎｅ  Ａｐｐｌｉｃａｔｉｏｎ  Ｔｙｐｅ）が増加するに伴い、一定のネットワークにおいてその数が次第に増加していくだろう。
【００５１】
機器アプリケーションタイプには、（１）保安（ｓｅｃｕｒｉｔｙ）、（２）治安（ｐｕｂｌｉｃ  ｓａｆｅｔｙ）、（３）トラッキング及びトレーシング（ｔｒａｃｋｉｎｇ
ａｎｄ  ｔｒａｃｉｎｇ）、（４）支払い（ｐａｙｍｅｎｔ）、（５）健康管理（ｈｅａｌｔｈｃａｒｅ）、（６）遠隔維持及び制御（ｒｅｍｏｔｅ  ｍａｉｎｔｅｎａｎｃｅ
ａｎｄ  ｃｏｎｔｒｏｌ）、（７）検針（ｍｅｔｅｒｉｎｇ）、（８）消費者装置（ｃｏｎｓｕｍｅｒ  ｄｅｖｉｃｅ）、（９）販売管理システム（ＰＯＳ：Ｐｏｉｎｔ  Ｏｆ
Ｓａｌｅｓ）及び保安関連応用市場における物流管理（Ｆｌｅｅｔ  Ｍａｎａｇｅｍｅｎｔ）、（１０）自動販売機（Ｖｅｎｄｉｎｇ  Ｍａｃｈｉｎｅ）の機器間通信、（１１）機械及び設備の遠隔モニタリング、建設機械設備上の作動時間の測定及び熱や電気使用量の自動測定を行う知能検針（Ｓｍａｒｔ  Ｍｅｔｅｒ）、（１２）監視カメラの監視ビデオ（Ｓｕｒｖｅｉｌｌａｎｃｅ  Ｖｉｄｅｏ）通信などがある。ただし、これらに機器アプリケーションタイプが限定されることはなく、その他の様々な機器アプリケーションタイプを適用してもよい。
【００５２】
Ｍ２Ｍ機器の他の特性には、低い移動性、又は一度設置されたら殆ど移動しないという特性がある。すなわち、Ｍ２Ｍ機器は相当長時間にわたって固定的（ｓｔａｔｉｏｎａｒｙ）であるという意味である。Ｍ２Ｍ通信システムは、保安接続及び監視（ｓｅｃｕｒｅｄ  ａｃｃｅｓｓ  ａｎｄ  ｓｕｒｖｅｉｌｌａｎｃｅ）、治安（ｐｕｂｌｉｃ  ｓａｆｅｔｙ）、支払い（ｐａｙｍｅｎｔ）、遠隔維持及び制御（ｒｅｍｏｔｅ  ｍａｉｎｔｅｎａｎｃｅ  ａｎｄ  ｃｏｎｔｒｏｌ）、検針（ｍｅｔｅｒｉｎｇ）などのように固定し
た位置を有する特定Ｍ２Ｍアプリケーションのための移動性関連動作を単純化したり又は最適化すればよい。
【００５３】
このように機器アプリケーションタイプが増加すると、Ｍ２Ｍ通信機器の数は一般移動通信機器の数に比べて飛躍的に増加するだろう。そのため、これら機器の全てがそれぞれ個別に基地局と通信を行う場合、無線インターフェース及び／又はネットワークに深刻な負荷を与えることがある。
【００５４】
以下では、Ｍ２Ｍ通信が無線通信システム（例えば、Ｐ８０２．１６ｅ、Ｐ８０２．１６ｍ、Ｐ８０２．１６．１ｂ、Ｐ８０２．１６ｐなど）に適用される場合を挙げて本発明の実施例を説明する。しかし、本発明はこれに限定されず、３ＧＰＰ  ＬＴＥ／ＬＴＥ−Ａシステムなどの他の通信システムに適用することもできる。
【００５５】
図１は、本発明の実施例に係るＭ２Ｍ機器及び基地局などの装置構成を概略的に説明するための図である。
【００５６】
図１で、Ｍ２Ｍ機器１００及び基地局１５０はそれぞれ、無線周波数ユニット（ＲＦユニット）１１０，１６０、プロセッサ１２０，１７０、及び選択的にメモリー１３０，１８０を備えることができる。図１では、一つのＭ２Ｍ機器と一つの基地局の構成を示しているが、複数のＭ２Ｍ機器と基地局間にＭ２Ｍ通信環境を構築することもできる。
【００５７】
各ＲＦユニット１１０，１６０はそれぞれ、送信器１１１，１６１及び受信器１１２，１６２を備えることができる。Ｍ２Ｍ機器１００の送信器１１１及び受信器１１２は、基地局１５０及び他のＭ２Ｍ機器と信号を送信及び受信するように構成し、プロセッサ１２０は、送信器１１１及び受信器１１２と機能的に接続し、送信器１１１及び受信器１１２が他の機器と信号を送受信する過程を制御するように構成することができる。また、プロセッサ１２０は、送信する信号に対する各種処理を行って送信器１１１に送信し、受信器１１２が受信した信号の処理を行うことができる。
【００５８】
必要な場合、プロセッサ１２０は、交換したメッセージに含まれた情報をメモリー１３０に保存することができる。このような構造によって、Ｍ２Ｍ機器１００は以下に説明する本発明の様々な実施の形態に係る方法を実行することができる。
【００５９】
一方、図１に示してはいないが、Ｍ２Ｍ機器１００は、その機器アプリケーションタイプによって様々な追加構成を有することもできる。例えば、Ｍ２Ｍ機器１００が知能型計量のためのものである場合、Ｍ２Ｍ機器１００は電力測定などのための追加的な構成を有することができ、このような電力測定動作は、図１に示したプロセッサ１２０によって制御されてもよく、又は、別個に構成されたプロセッサ（図示せず）によって制御されてもよい。
【００６０】
図１は、Ｍ２Ｍ機器１００と基地局１５０間に通信がなされる場合を例示しているが、本発明に係るＭ２Ｍ通信方法は、複数のＭ２Ｍ機器間に発生することもあり、それぞれの機器は、図１に示した各装置構成と同じ形態で後述の様々な実施の形態に係る方法を実行することができる。
【００６１】
基地局１５０の送信器１６１及び受信器１６２は、他の基地局、Ｍ２Ｍサーバー、Ｍ２Ｍ機器と信号を送信及び受信するように構成し、プロセッサ１７０は、送信器１６１及び受信器１６２と機能的に接続し、送信器１６１及び受信器１６２が他の機器と信号を送受信する過程を制御するように構成することができる。また、プロセッサ１７０は、送信する信号に対する各種処理を行って送信器１６１に送信し、受信器１６２が受信した信号に
対する処理を行うことができる。必要な場合、プロセッサ１７０は、交換しメッセージに含まれた情報をメモリー１８０に保存することができる。このような構造によって基地局１５０は、後述する様々な実施の形態に係る方法を実行することができる。
【００６２】
Ｍ２Ｍ機器１１０及び基地局１５０の各プロセッサ１２０，１７０はそれぞれ、Ｍ２Ｍ機器１１０及び基地局１５０での動作を指示（例えば、制御、調整、管理など）する。それぞれのプロセッサ１２０，１７０は、プログラムコード及びデータを保存するメモリー１３０，１８０と接続することができる。メモリー１３０，１８０はプロセッサ１２０，１７０に接続し、オペレーティングシステム、アプリケーション、及び一般ファイル（ｇｅｎｅｒａｌ  ｆｉｌｅｓ）を保存する。
【００６３】
本発明のプロセッサ１２０，１７０は、コントローラ（ｃｏｎｔｒｏｌｌｅｒ）、マイクロコントローラ（ｍｉｃｒｏｃｏｎｔｒｏｌｌｅｒ）、マイクロプロセッサ（ｍｉｃｒｏｐｒｏｃｅｓｓｏｒ）、マイクロコンピュータ（ｍｉｃｒｏｃｏｍｐｕｔｅｒ）などと呼ぶこともできる。一方、プロセッサ１２０，１７０は、ハードウェア（ｈａｒｄｗａｒｅ）、ファームウェア（ｆｉｒｍｗａｒｅ）、ソフトウェア、又はこれらの結合によって具現することができる。ハードウェアを用いて本発明の実施例を具現する場合には、本発明を実行ように構成されたＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、又はＦＰＧＡｓ（ｆｉｅｌｄ  ｐｒｏｇｒａｍｍａｂｌｅ  ｇａｔｅ  ａｒｒａｙｓ）などをプロセッサ１２０，１７０に備えることができる。
【００６４】
一方、ファームウェアやソフトウェアを用いて本発明の実施例を具現する場合には、本発明の機能又は動作を実行するモジュール、手順又は関数などを含むようにファームウェアやソフトウェアを構成することができ、本発明を実行できるように構成されたファームウェア又はソフトウェアは、プロセッサ１２０，１７０内に設けられたり又はメモリー１３０，１８０に格納され、プロセッサ１２０，１７０によって駆動されるようにすることができる。
【００６５】
２．遊休モード（Ｉｄｌｅ  Ｍｏｄｅ）
以下では、本発明の実施例が実行されるＭ２Ｍ環境における遊休モード（Ｉｄｌｅ  Ｍｏｄｅ）について説明する。
【００６６】
遊休モードとは、Ｍ２Ｍ機器（すなわち、端末）が基地局からトラフィック（ｔｒａｆｆｉｃ）を一定時間受信しないとき、電力を節約（Ｐｏｗｅｒ  ｓａｖｉｎｇ）するよう、ページンググループ（Ｐａｇｉｎｇ  Ｇｒｏｕｐ）、ページング周期（Ｐａｇｉｎｇ  Ｃｙｃｌｅ）、ページングオフセット（Ｐａｇｉｎｇ  Ｏｆｆｓｅｔ）を運用するモードのことをいう。
【００６７】
例えば、遊休モードに遷移した端末は、ページング周期のページング利用可能区間（Ａｖａｉｌａｂｌｅ  Ｉｎｔｅｒｖａｌ、又はページング聴取区間）でのみ、基地局が放送する放送メッセージ（例えば、ページングメッセージ）を受信し、一般モード（ｎｏｒｍａｌ  ｍｏｄｅ）に遷移するか又は遊休状態を維持するかを判断することができる。
【００６８】
また、遊休モードは、端末が広範囲な地域にわたって複数の基地局が存在する無線リンク環境を歩き回る場合にも、特定基地局に登録することなく（すなわち、ハンドオーバーなどを行うことなく）周期的に下りリンクメッセージを受信できるメカニズムである。
【００６９】
遊休モードは、説明の便宜上、ＩＥＥＥ  ８０２．１６ｅ、１６ｍ、１６ｐシステムを基準にして記述する。しかし、本発明の技術的思想がこれに限定されることはない。端末は、遊休モードに進入する目的で、基地局との登録解除を要請するために基地局に登録解除要請（ＤＲＥＧ−ＲＥＱ：Ｄｅｒｅｇｉｓｔｒａｔｉｏｎ  Ｒｅｑｅｕｓｔ）メッセージを送信する。
【００７０】
以降、基地局はＤＲＥＧ−ＲＥＱメッセージに対する応答として登録解除応答（ＤＲＥＧ−ＲＳＰ：Ｄｅｒｅｇｉｓｔｒａｔｉｏｎ  Ｒｅｓｐｏｎｓｅ）メッセージを端末に送信する。この時、ＤＲＥＧ−ＲＳＰメッセージはページング情報（Ｐａｇｉｎｇ  Ｉｎｆｏｒｍａｔｉｏｎ）を含む。ここで、端末の遊休モードへの進入は基地局の要請によって開始されることもある（ｕｎｓｏｌｉｃｉｔｅｄ  ｍａｎｎｅｒ）。この場合、基地局は端末にＤＲＥＧ−ＲＳＰメッセージを送信する。
【００７１】
ページング情報（Ｐａｇｉｎｇ  Ｉｎｆｏｒｍａｔｉｏｎ）は、ページング周期（Ｐａｇｉｎｇ  Ｃｙｃｌｅ）、ページングオフセット（Ｐａｇｉｎｇ  Ｏｆｆｓｅｔ）、ページンググループ識別子（ＰＧＩＤ：Ｐａｇｉｎｇ  Ｇｒｏｕｐ  ＩＤｅｎｔｉｆｉｅｒ）及びページング聴取区間（Ｐａｇｉｎｇ  Ｌｉｓｔｅｎｉｎｇ  Ｉｎｔｅｒｖａｌ）値などを含むことができる。
【００７２】
基地局からＤＲＥＧ−ＲＳＰメッセージを受信した端末は、当該ページング情報を参照して遊休モードに進入する。遊休モードは、ページング周期（Ｐａｇｉｎｇ  Ｃｙｃｌｅ）を有し、一つのページング周期は、ページング聴取区間（Ｐａｇｉｎｇ  Ｌｉｓｔｅｎｉｎｇ  Ｉｎｔｅｒｖａｌ）及び利用不可区間（Ｕｎａｖａｉｌａｂｌｅ  Ｉｎｔｅｒｖａｌ）で構成することができる。このとき、ページング聴取区間は、利用可能区間（Ａｖａｉｌａｂｌｅ  Ｉｎｔｅｒｖａｌ）又はページング区間（ｐａｇｉｎｇ  ｉｎｔｅｒｖａｌ）と同じ概念で使うことができる。
【００７３】
ページングオフセットは、ページング周期内でページング聴取区間が始まる時点（例えば、フレーム又はサブフレーム）を表す。また、ページンググループ識別子は、端末に割り当てられたページンググループの識別子を表す。また、ページング情報は、ページングメッセージオフセット（ｐａｇｉｎｇ  ｍｅｓｓａｇｅ  ｏｆｆｓｅｔ）情報を含むことができる。ここで、ページングメッセージオフセット情報は、基地局からページングメッセージが送信される時点を表す。
【００７４】
以降、端末はページング情報を用いてページング聴取区間で自身に伝達されるページングメッセージを受信することができる。ここで、ページングメッセージは基地局又はページング制御機から送信することができる。すなわち、端末は、ページングメッセージを受信するためにページング周期によって無線チャネルをモニタする。
【００７５】
図２は、本発明に適用できる、遊休モードでのページング方法の一例を示すフローチャートである。
【００７６】
基地局は、自身の属したページンググループ内に存在する遊休モードの端末に下りリンクデータが発生すると、当該端末にそれを知らせるためにページングメッセージを送信することができる。端末は、自身のページング聴取区間でページングメッセージを受信し、自身に伝達される下りリンク（ＤＬ）データがあるか否か確認する（Ｓ２１０）。
【００７７】
もし、下りリンクデータがあると（すなわち、ｐｏｓｉｔｉｖｅ  ｉｎｄｉｃａｔｉｏｎ）、端末は、レンジング（ｒａｎｇｉｎｇ）過程を含むネットワーク再進入（ｎｅｔｗｏｒｋ  ｒｅｅｎｔｒｙ）過程を行う（Ｓ２２０）。以降、端末は基地局と動的サービス
追加（ＤＳＡ：Ｄｙｎａｍｉｃ  Ｓｅｒｖｉｃｅ  Ａｄｄｉｔｉｏｎ）過程によって関連の下りリンクサービスフローに対する接続を設定する過程（Ｃｏｎｎｅｃｔｉｏｎ  Ｓｅｔｕｐ）を行う（Ｓ２３０）。
【００７８】
サービスフローに対する接続が設定された後、基地局は端末に当該サービスに関する下りリンク制御情報及び下りリンクデータを送信する（Ｓ２４０）。
【００７９】
Ｍ２Ｍシナリオにおいて、大部分のＭ２Ｍ機器（ｄｅｖｉｃｅ）は、携帯電話のような一般端末のようにユーザが持って歩く端末でないため、Ｍ２Ｍ機器に対する自動アプリケーション（ａｕｔｏｍａｔｉｃ  ａｐｐｌｉｃａｔｉｏｎ）又はファームウェアアップデート（ｆｉｒｍｗａｒｅ  ｕｐｄａｔｅ）過程はＭ２Ｍサービスシナリオにおいて主要なアプリケーション（ａｐｐｌｉｃａｔｉｏｎ）となり得る。
【００８０】
例えば、各機器（ｄｅｖｉｃｅ）のファームウェア（ｆｉｒｍｗａｒｅ）をアップデートするために、Ｍ２Ｍサーバーは、該当のアプリケーション（ａｐｐｌｉｃａｔｉｏｎ）を有しているＭ２Ｍ機器にアップデートされた情報を送信することができる。遊休モードのＭ２Ｍ機器に共通に送信すべきこのようなマルチキャストデータ（ｍｕｌｔｉｃａｓｔ
ｄａｔａ）を送信するために、基地局は、図２で説明したページング過程を通じて当該Ｍ２Ｍ機器をページングすればよい。
【００８１】
ページングされた端末はランダムアクセスコード（ｒａｎｄｏｍ  ａｃｃｅｓｓ  ｃｏｄｅ）の送信を開始してネットワーク再進入（ｎｅｔｗｏｒｋ  ｒｅｅｎｔｒｙ）過程を行ってネットワークに接続し、基地局が送信した下りリンクトラフィック（ＤＬ  ｔｒａｆｆｉｃ）を受信する。これらの過程はネットワーク（ｎｅｔｗｏｒｋ）の不必要なリソース使用を増加させることがある。また、Ｍ２Ｍ機器及び一般端末が混在している状況で、互いに不必要なデータを受信することによって各端末の電力消耗が増加することもある。
【００８２】
３．本発明の実施例で用いられる識別子
（１）Ｍ２Ｍマルチキャスト接続識別子（Ｍ２ＭＣＩＤ）
Ｍ２Ｍグループ領域（Ｍ２Ｍ  Ｇｒｏｕｐ  Ｚｏｎｅ）は、複数のＡＢＳを含む論理的領域である。Ｍ２Ｍグループ領域は、Ｍ２Ｍグループ領域識別子（Ｍ２Ｍ  ＧＲＯＵＰ  ＺＯＮＥ  ＩＤ）によって識別する。Ｍ２Ｍグループ領域識別子はＤＣＤメッセージによってブロードキャスト（すなわち、放送）することができる。Ｍ２ＭＣＩＤ（Ｍ２Ｍ  Ｃｏｎｎｅｃｔｉｏｎ  Ｉｄｅｎｔｉｆｉｅｒ）は、Ｍ２Ｍグループ領域内でＭ２Ｍ機器のグループによって共有される下りリンクマルチキャストサービスフローを識別する１６ビットの固有値である。
【００８３】
Ｍ２Ｍ機器は、放送メッセージ（例えば、ＤＣＤメッセージ）内のＭ２Ｍグループ領域識別子の順序に基づいて黙示的にＭ２Ｍグループ領域識別子に相応する領域インデックスを導出する。Ｍ２Ｍグループ領域識別子に最初に含まれた領域インデックスは０と割り当てられ、領域インデックスは、基地局によってサポートされるＭ２Ｍグループ領域の最大値が４と定義される場合、ＭＡＸ＿Ｍ２Ｍ＿ＧＲＯＵＰ＿ＺＯＮＥ−１まで連続して増加する。
【００８４】
ＡＢＳが一つのＭ２Ｍグループ領域のみの一部である場合には、基地局は一つのＭ２Ｍ
ＧＲＯＵＰ  ＺＯＮＥ＿ＩＤのみを放送し、Ｍ２Ｍ機器は、相応するＭ２Ｍグループ領域インデックス（０ｂ００）を導出する。Ｍ２Ｍ機器グループは、Ｍ２ＭＣＩＤ及び相応するＭ２Ｍグループ領域インデックスを用いて見つける。全てのＭ２ＭＣＩＤは同一のＭ２Ｍグループ領域に属したＭ２Ｍ機器に割り当てられる。Ｍ２ＭＣＩＤは、初期ネットワ
ーク進入過程後にＤＳＡ過程によってＭ２Ｍ機器のマルチキャストサービスフローに割り当てられる。また、Ｍ２ＭＣＩＤは、明示的にネットワークから出たりＭ２Ｍ機器がＤＣＲモードに進入する場合に解除される。割り当てられたＭ２ＭＣＩＤは、Ｍ２Ｍ機器が遊休モード状態にある場合にも維持されるが、Ｍ２Ｍ機器が当該ネットワークから出たり、ネットワークで割り当てられたＭ２ＭＣＩＤに関連したサービスフローを明示的に削除する場合に解除される。
【００８５】
互いに異なるマルチキャストサービスフローに対して複数のＭ２ＭＣＩＤをＭ２Ｍ機器に割り当てることができる。Ｍ２ＭＣＩＤは接続状態及び遊休モード状態で再び割り当てることができる。接続状態でＭ２ＭＣＩＤはＤＳＣ過程及びＤＳＤ過程によって変更したり、削除することができる。遊休モード状態でＭ２ＭＣＩＤは位置更新（ＬＵ：Ｌｏｃａｔｉｏｎ  Ｕｐｄａｔｅ）又はネットワーク再進入過程によって変更することができる。
【００８６】
基地局がマルチキャストグループ内における全てのＭ２Ｍ機器に対するＭ２ＭＣＩＤを変更しようとするとき、基地局はページングメッセージを用いてグループ位置更新をトリガーすることができる。Ｍ２Ｍ機器がタイマーベースの位置更新を行う時、基地局が当該Ｍ２Ｍ機器に対するＭ２ＭＣＩＤを更新する必要がある場合には、基地局は位置更新過程でレンジング要請（ＲＮＧ−ＲＥＱ）メッセージに対する応答として、新しいＭ２ＭＣＩＤを含むレンジング応答（ＲＮＧ−ＲＳＰ）メッセージを送信することができる。
【００８７】
基地局はＭ２ＭＣＩＤの更新及びグループ内における全てのＭ２Ｍ機器に対する新しい値を指示するためにページングメッセージ（例、ＭＯＢ−ＰＡＧ−ＡＤＶ）を送信することができる。Ｍ２ＭＣＩＤによって識別されるＭ２Ｍグループに属した遊休モードのＭ２Ｍ機器が、該当のＭ２ＭＣＩＤ、及び０ｂ１１に設定された動作コード（Ａｃｔｉｏｎ  Ｃｏｄｅ）を含むページングメッセージを受信すると、当該Ｍ２Ｍ機器は、指示された新しいＭ２ＭＣＩＤ値に基づいてＭ２ＭＣＩＤを更新しなければならない。
【００８８】
（２）Ｍ２Ｍ管理接続識別子
ＩＥＥＥ  ８０２．１６ｅシステムに本発明の実施例を適用することができる。ＩＥＥＥ  ８０２．１６ｅ（Ｒｅｖ．３）システムでは、フロー識別子（ＦＩＤ：Ｆｌｏｗ  Ｉｄｅｎｔｉｆｉｅｒ）ではなく接続識別子（ＣＩＤ：Ｃｏｎｎｅｃｔｉｏｎ  Ｉｄｅｎｔｉｆｉｅｒ）を用いる。
【００８９】
また、マルチキャストデータを送信するためにマルチキャストＣＩＤ（Ｍｕｌｔｉｃａｓｔ  ＣＩＤ）が定義される。ただし、既存のマルチキャストＣＩＤはマルチキャストデータのみを識別するだけであり、Ｍ２Ｍ機器へのマルチキャストであるか否かは識別しない。また、マルチキャストＣＩＤはＨＡＲＱ領域で用いられる縮小したＣＩＤ形式を有する。
【００９０】
Ｍ２Ｍシステムの導入による既存の一般端末への影響を最小化するために、基地局はＭ２Ｍ特定放送ＭＡＣ制御メッセージ（例えば、ＭＯＢ−ＭＴＥ−ＩＮＤ又はＭＧＭＣ）をＭ２Ｍ機器にのみ送信する必要がある。そのために、本発明ではＭ２Ｍマルチキャスト接続識別子（Ｍ２Ｍ  ｍｕｌｔｉｃａｓｔ  ＣＩＤ）及びＭ２Ｍ管理ＣＩＤ（Ｍ２Ｍ  Ｍａｎａｇｅｍｅｎｔ  ＣＩＤ）を定義し、Ｍ２Ｍ管理ＣＩＤは全てのＭ２Ｍ機器のみによって用いられると仮定する。
【００９１】
下記の表１には、本発明の実施例で使用できる接続識別子の一例を示す。
【００９２】
【表１】
0005770948.tif 000002
表１を参照すると、Ｍ２Ｍ機器だけでなく一般端末においても用いられるＣＩＤとして、伝送ＣＩＤ（Ｔｒａｎｓｐｏｒｔ  ＣＩＤ）、第２管理ＣＩＤ（Ｓｅｃｏｎｄａｒｙ  Ｍａｎａｇｅｍｅｎｔ  ＣＩＤ）、トンネル又は管理トンネルＣＩＤ（Ｔｕｎｎｅｌ  ｏｒ  Ｍａｎａｇｅｍｅｎｔ  Ｔｕｎｎｅｌ  ＣＩＤ）、マルチキャスト管理ＣＩＤ（Ｍｕｌｔｉｃａｓｔ  Ｍａｎａｇｅｍｅｎｔ  ＣＩＤ）がある。伝送ＣＩＤ及び第２管理ＣＩＤは上りリンク及び下りリンク接続に同時に割り当てられてもよい。トンネルＣＩＤはトンネル送信接続に用いられる。マルチキャスト管理ＣＩＤは下りリンクマルチキャスト管理サービスのために用いられる。
【００９３】
また、表１を参照すると、Ｍ２Ｍ機器のためにＭ２ＭＣＩＤ及びＭ２Ｍ管理ＣＩＤ（Ｍ２Ｍ  Ｍａｎａｇｅｍｅｎｔ  ＣＩＤ）が定義される。Ｍ２ＭＣＩＤはＭ２Ｍマルチキャスト接続を識別するために用いられる。Ｍ２Ｍ管理ＣＩＤはＭ２Ｍ機器に下りリンク放送情報の送信のためのバーストを表すためにＤＬ−ＭＡＰに用いられる。
【００９４】
本発明の実施例において、Ｍ２Ｍ管理ＣＩＤは全てのＭ２Ｍ機器のためにのみ用いられる。したがって、基地局は、Ｍ２Ｍ機器のための特定ＭＡＣ制御メッセージであるＭＯＢ＿ＭＴＥ−ＩＮＤメッセージ又はＭＯＢ＿ＭＧＭＣメッセージを放送形態で送信するためのリソース領域を割り当てるために、リソース割当情報を含む下りリンクマップ情報要素（ＤＬ−ＭＡＰ  ＩＥ）をＭ２Ｍ機器に送信することができる。この時、基地局はＤＬ−ＭＡＰ  ＩＥのＣＩＤフィールドにＭ２Ｍ管理ＣＩＤを含めて送信することができる。Ｍ２Ｍ管理ＣＩＤはＭ２Ｍ機器以外の一般端末には割り当てられず、一般端末はＭ２Ｍ管理ＣＩＤで送信されるＤＬ−ＭＡＰ  ＩＥを読み取らないか、又はＤＬ−ＭＡＰ  ＩＥで指示するリソース領域（すなわち、ＤＬバースト）をデコードしない。表１でＭ２Ｍ管理ＣＩＤの値が０ｘＦＥ９Ｆに設定される理由は、Ｍ２Ｍ管理ＣＩＤをシステムで固定して使用するからであり、こうする場合、基地局及びＭ２Ｍ機器はＭ２Ｍ管理ＣＩＤを割り当てるための追加過程を行う必要がない。
【００９５】
４．媒体接続制御（ＭＡＣ）制御メッセージ
以下では、本発明の実施例で用いられる制御メッセージについて詳しく説明する。
【００９６】
（１）下りリンクＭＡＰ情報要素
下りリンクＭＡＰ情報要素（Ｄｏｗｎｌｉｎｋ  ＭＡＰ  ｉｎｆｏｒｍａｔｉｏｎ  ｅｌｅｍｅｎｔ）は、基地局が端末にリソース領域を割り当てるために送信する。特に、Ｍ２Ｍ機器のためのリソース領域を割り当てるために、基地局は、Ｍ２Ｍ管理ＣＩＤを含む
ＤＬ−ＭＡＰ  ＩＥを送信することができる。このとき、Ｍ２Ｍ管理ＣＩＤを持っているＭ２Ｍ機器のみが当該ＤＬ−ＭＡＰ  ＩＥをデコードすることができる。下記の表２には、ＤＬ−ＭＡＰ  ＩＥフォーマットの一例を示す。
【００９７】
【表２】
0005770948.tif 000003
表２を参照すると、ＤＩＵＣはバーストを割り当てるために用いられる。ＣＩＤフィールドは、当該ＤＬ−ＭＡＰ  ＩＥがブロードキャスト（Ｂｒｏａｄｃａｓｔ）、マルチキャスト（Ｍｕｌｔｉｃａｓｔ）又はユニキャスト（Ｕｎｉｃａｓｔ）送信のいずれのために用いられるかを表す。すなわち、表２のＣＩＤフィールドに表１で開示したＭ２Ｍ管理ＣＩＤが挿入される場合に、当該ＤＬ−ＭＡＰ  ＩＥは、Ｍ２Ｍ機器へのＭＡＣ制御メッセージが送信されるリソース領域を割り当てるために用いられる。
【００９８】
ＤＬ−ＭＡＰ  ＩＥは、ＭＡＣ制御メッセージが送信されるリソース領域を割り当てるためのリソース割当情報を含むことができる。このとき、リソース割当情報は、ＯＦＤＭ
Ａシンボルオフセット（ＯＦＤＭＡ  Ｓｙｍｂｏｌ  Ｏｆｆｓｅｔ）フィールド、サブチャネルオフセット（Ｓｕｂｃｈａｎｎｅｌ  Ｏｆｆｓｅｔ）フィールド、ブースティング（Ｂｏｏｓｔｉｎｇ）フィールド、ＯＦＤＭＡシンボル個数（Ｎｏ．  ＯＦＤＭＡ  ｓｙｍｂｏｌ）フィールド、サブチャネル個数（Ｎｏ．  ｏｆ  Ｓｕｂｃｈａｎｎｅｌｓ）フィールド、及び反復コーディング指示（Ｒｅｐｅｔｉｔｉｏｎ  Ｃｏｄｉｎｇ  Ｉｎｄｉｃａｔｉｏｎ）フィールドを含むことができる。
【００９９】
ＯＦＤＭＡシンボルオフセットフィールドは、当該リソース領域が割り当てられるバーストのＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）シンボルのオフセットを示す。また、ＯＦＤＭＡシンボルオフセットは、プリアンブルが送信されるＤＬシンボルから計算される。
【０１００】
サブチャネルオフセットフィールドは、該当バーストを持ち運ぶために用いられるＯＦＤＭＡサブチャネルの最下位インデックスを示す。サブチャネルオフセットはサブチャネル０から開始する。
【０１０１】
ブースティングフィールドは、該当割り当てられたデータサブキャリアの電力増大に用いられる。ブースティングフィールドは、ＡＭＣパーミュテーションであるＡＡＳ領域、ＡＭＣ領域、又は専用パイロットを用いるＰＵＳＨ−ＡＳＣＡパーミュテーション領域では「０」に設定される。
【０１０２】
ＯＦＤＭＡシンボル個数フィールドは、下りリンク物理バースト（ＤＬ  ＰＨＹ  ｂｕｒｓｔ）が運ばれるＯＦＤＭＡシンボルの個数を示す。ＯＦＤＭＡシンボル個数フィールドの値はシンボルでスロット長の倍数で適用することができる。サブチャネル個数フィールドは、下りリンク物理バーストが運ばれる連続したサブチャネルの個数を表す連続したインデックスである。
【０１０３】
反復コーディング指示フィールドは、割り当てられたリソース領域（すなわち、バースト）内で用いられる反復コードを示す。ＱＰＳＫ変調を表すＤＩＵＣのためには反復コーディングがただ１回のみ行われる。
【０１０４】
（２）Ｍ２Ｍ機器グループＭＡＣ制御（ＭＧＭＣ）メッセージ
以下では、本発明の実施例で使用できるＭＧＭＣ（Ｍ２Ｍ  ｄｅｖｉｃｅ  Ｇｒｏｕｐ
ＭＡＣ  Ｃｏｎｔｒｏｌ）メッセージについて説明する。
【０１０５】
ＭＧＭＣメッセージは、同一のＭ２Ｍ機器グループ（Ｍ２ＭＣＩＤによって定義される）に属している端末（すなわち、Ｍ２Ｍ機器）のグループにパラメータ及び／又は指示をするために送信される。ＡＢＳは、遊休モードではなく接続状態にある端末にＭＧＭＣメッセージをブロードキャスト方式又はマルチキャスト方式で送信する。
【０１０６】
下記の表３に、ＭＡＣ制御メッセージの一例を示す。
【０１０７】
【表３】
0005770948.tif 000004
下記の表４には、ＭＧＭＣ（Ｍ２Ｍ  Ｇｒｏｕｐ  ＭＡＣ  ｃｏｎｔｒｏｌ）メッセージフォーマットの一例を示す。
【０１０８】
【表４】
0005770948.tif 000005
基地局は、複数の端末（Ｍ２Ｍ機器）に関する情報を送信するために、Ｍ２ＭＣＩＤを含むＭＧＭＣメッセージを使用する。すなわち、ＭＧＭＣメッセージは、Ｍ２ＭＣＩＤによって指示されるＭ２Ｍ機器グループに属しているＭ２Ｍ機器に送信される。ＭＧＭＣメッセージがブロードキャスト方式で送信される場合、Ｍ２Ｍ管理ＣＩＤがＭＧＭＣメッセージの送信のために用いられる。仮に、ＭＧＭＣメッセージが一つのＭ２Ｍ機器グループに関する制御情報を持ち運び、マルチキャストＳＡ（Ｓｅｃｕｒｉｔｙ  Ａｓｓｏｃｉａｔｉｏｎ）が当該Ｍ２Ｍ機器グループに設定された場合、当該ＭＧＭＣメッセージは設定されたマルチキャストＳＡを用いて暗号化される。
【０１０９】
一つのＭ２Ｍ機器グループに対するＭＧＭＣメッセージを持ち運ぶ媒体接続制御プロトコルデータユニット（ＭＡＣ  ＰＤＵ：Ｍｅｄｉｕｍ  Ａｃｃｅｓｓ  Ｃｏｎｔｒｏｌ  Ｐｒｏｔｏｃｏｌ  Ｄａｔａ  Ｕｎｉｔ）を含む物理バースト（ＰＨＹ  ｂｕｒｓｔ）は、ＤＬ−ＭＡＰ  ＩＥに含まれたＭ２ＭＣＩＤによって指示される。このとき、ＭＡＣ  ＰＤＵのＭＡＣヘッダーのＣＩＤフィールドは、当該Ｍ２Ｍ機器に割り当てられたＭ２ＭＣＩＤを除くいずれのＭ２ＭＣＩＤに設定されてもよい。また、ＭＡＣヘッダーのＥＣ（Ｅｎｃｒｙｐｔｉｏｎ  Ｃｏｎｔｒｏｌ）フィールドは、ＭＧＭＣメッセージが暗号化されるか否かを表すために０又は１にそれぞれ設定される。ＭＧＭＣメッセージが暗号化される場合に、Ｍ２ＭＣＩＤによって識別されるＭ２Ｍ機器グループに相応するマルチキャストＳＡはＭＧＭＣメッセージを解読するために用いられる。
【０１１０】
本発明の実施例において、ＭＡＣ  ＰＤＵは、ＭＡＣ層で用いられる送信単位であり、物理（ＰＨＹ）層で送信される場合にマルチキャストバーストの形態で送信される。
【０１１１】
（３）マルチキャスト送信終了指示（ＭＯＢ−ＭＴＥ−ＩＮＤ）メッセージ
以下では、本発明の実施例で使用できるマルチキャスト送信終了指示（ＭＯＢ−ＭＴＥ−ＩＮＤ：Ｍｕｌｔｉｃａｓｔ  Ｔｒａｎｓｍｉｓｓｉｏｎ  Ｅｎｄ  Ｉｎｄｉｃａｔｉｏｎ）メッセージについて説明する。
【０１１２】
基地局は、遊休モード状態の端末にマルチキャストメッセージを送信する途中に、端末（Ｍ２Ｍ機器）に送信するマルチキャストメッセージがない場合は、Ｍ２ＭＣＩＤを用い
てＭＯＢ−ＭＴＥ−ＩＮＤメッセージをブロードキャスト方式又はマルチキャスト方式で端末に送信する。遊休モード状態の端末がＭＯＢ−ＭＴＥ−ＩＮＤメッ  セージを受信すると、当該端末はページング不可区間に再び進入する。
【０１１３】
下記の表５に、本発明の実施例で用いられるＭＯＢ−ＭＴＥ−ＩＮＤメッセージフォーマットの一例を示す。
【０１１４】
【表５】
0005770948.tif 000006
表５を参照すると、ＭＯＢ−ＭＴＥ−ＩＮＤメッセージは、管理メッセージタイプを指示する管理メッセージタイプフィールド、及び当該マルチキャストトラフィックを指示するＭ２ＭＣＩＤフィールドを含む。ＭＯＢ−ＭＴＥ−ＩＮＤメッセージがブロードキャスト方式で送信される場合、ＭＯＢ−ＭＴＥ−ＩＮＤメッセージを運ぶ物理層（ＰＨＹ）バーストはＤＬ−ＭＡＰ  ＩＥに従って送信される。
【０１１５】
基地局は、複数の端末（Ｍ２Ｍ機器）に関する情報を送信するために、Ｍ２ＭＣＩＤを含むＭＯＢ−ＭＴＥ−ＩＮＤメッセージを使用する。すなわち、ＭＯＢ−ＭＴＥ−ＩＮＤメッセージは、Ｍ２ＭＣＩＤで指示されるＭ２Ｍ機器グループに属しているＭ２Ｍ機器に送信される。
【０１１６】
ＭＯＢ−ＭＴＥ−ＩＮＤメッセージがブロードキャスト方式で送信される場合、Ｍ２Ｍ管理ＣＩＤはＭＯＢ−ＭＴＥ−ＩＮＤメッセージの送信のために用いられる。仮に、ＭＯＢ−ＭＴＥ−ＩＮＤメッセージが一つのＭ２Ｍ機器グループに関する制御情報を持ち運び、マルチキャストＳＡ（Ｓｅｃｕｒｉｔｙ  Ａｓｓｏｃｉａｔｉｏｎ）が当該Ｍ２Ｍ機器グループに設定された場合、当該ＭＯＢ−ＭＴＥ−ＩＮＤメッセージは設定されたマルチキャストＳＡを用いて暗号化される。
【０１１７】
一つのＭ２Ｍ機器グループに対するＭＯＢ−ＭＴＥ−ＩＮＤメッセージを持ち運ぶ媒体接続制御プロトコルデータユニット（ＭＡＣ  ＰＤＵ）を含む物理バースト（ＰＨＹ  ｂｕｒｓｔ）は、ＤＬ−ＭＡＰ  ＩＥに含まれたＭ２ＭＣＩＤで指示される。このとき、ＭＡＣ  ＰＤＵのＭＡＣヘッダーのＣＩＤフィールドは、当該Ｍ２Ｍ機器に割り当てられたＭ２ＭＣＩＤを除くいずれのＭ２ＭＣＩＤに設定されてもよい。また、ＭＡＣヘッダーのＥＣ（Ｅｎｃｒｙｐｔｉｏｎ  Ｃｏｎｔｒｏｌ）フィールドは、ＭＯＢ−ＭＴＥ−ＩＮＤメッセージが暗号化されるか否かを表すために０又は１にそれぞれ設定される。ＭＯＢ−ＭＴＥ−ＩＮＤメッセージが暗号化される場合に、Ｍ２ＭＣＩＤによって識別されるＭ２Ｍ機器グループに相応するマルチキャストＳＡは、ＭＯＢ−ＭＴＥ−ＩＮＤメッセージを解読するために用いられる。
【０１１８】
本発明の実施例において、ＭＡＣ  ＰＤＵは、ＭＡＣ層で用いられる送信単位であり、
物理（ＰＨＹ）層で送信される場合にマルチキャストバーストの形態で送信される。
【０１１９】
５．Ｍ２Ｍ機器に対するマルチキャスト動作
（１）マルチキャスト動作一般
基地局（ＡＢＳ）からＭ２Ｍ機器へのマルチキャストサービスは、Ｍ２Ｍ機器グループに属したＭ２Ｍ機器に対するＤＬデータの同時送信をＭ２ＭＣＩＤを用いて支援する。マルチキャストサービスはＡＢＳに関連し、下りリンクでのみ提供される。各マルチキャスト接続は当該サービスフローに対するＱｏＳ及びトラフィックパラメータと共に提供される。マルチキャストデータを持ち運ぶサービスフローは接続状態で当該サービスに参加する個別Ｍ２Ｍ機器に開始される。このとき、Ｍ２Ｍ機器はサービスに関連したサービスフローを識別するパラメータを獲得する。
【０１２０】
Ｍ２ＭＣＩＤは、同一のマルチキャストサービスに参加するＭ２Ｍ機器のグループに割り当てられ、動的サービス追加（ＤＳＡ：Ｄｙｎａｍｉｃ  Ｓｅｒｖｉｃｅ  Ａｄｄｉｔｉｏｎ）過程で割り当てられる。サービスフロー設定過程において、当該サービスフローは、マルチキャストサービスフローを識別するＭ２ＭＣＩＤに割り当てられる。基地局は各Ｍ２Ｍ機器とマルチキャスト接続を形成することによって、当該サービスに関連したＤＬマルチキャストサービスを設定する。
【０１２１】
Ｍ２Ｍ機器は一般モード及び遊休モードでＭ２ＭＣＩＤを維持し、基地局はＤＳＡ過程でサービスフローとＭ２ＭＣＩＤとのマッピングを提供する。また、基地局は、このようなマッピング関係をＤＳＣ過程又はネットワーク再進入過程でＭ２ＭＣＩＤ更新ＴＬＶを用いて変更することができる。
【０１２２】
（２）遊休モードでＭ２Ｍマルチキャスト動作
Ｍ２Ｍ基地局は、遊休モードにあるＭ２Ｍ端末にネットワーク再進入を要請したり要請していない状態でマルチキャストサービスを提供することができる。基地局は、下りリンク（ＤＬ）マルチキャストデータを送信する前に、マルチキャストトラフィック指示を含むページングメッセージをページング聴取区間にＭ２Ｍ端末に送信することができる。仮に、Ｍ２Ｍ機器がネットワーク再進入無しでマルチキャストトラフィックを受信するように指示するページングメッセージを受信し、当該ページングメッセージがマルチキャスト送信開始時間（Ｍｕｌｔｉｃａｓｔ  Ｔｒａｎｓｍｉｓｓｉｏｎ  Ｓｔａｒｔ  Ｔｉｍｅ）に関する情報を含んでいないと、当該Ｍ２Ｍ機器は遊休モードを終了せず、ＤＬマルチキャストデータの受信を始める。
【０１２３】
ページングメッセージに含まれるマルチキャスト送信開始時間は、基地局が送信するＤＬマルチキャストデータが送信される時点を指示する。マルチキャスト送信開始時間（ＭＴＳＴ：Ｍｕｔｉｃａｓｔ  Ｔｒａｎｓｍｉｓｓｉｏｎ  Ｓｔａｒｔ  Ｔｉｍｅ）値は、ページングメッセージ（例えば、ＭＯＢ−ＰＡＧ−ＡＤＶ）を受信したＭ２Ｍ機器の次のページング聴取区間の開始時間よりも小さくなっていなければならない。Ｍ２Ｍ機器はページングメッセージに含まれたマルチキャスト送信開始時間によって指示されたフレームまで電力を消しておくことができる。マルチキャストデータ送信が終了すると、基地局はＭＯＢ−ＭＴＥ−ＩＮＤメッセージを当該Ｍ２Ｍ機器に送信する。Ｍ２Ｍ機器はＭＯＢ−ＭＴＥ−ＩＮＤメッセージを受信するとすぐにページング不可区間に進入することができる。
【０１２４】
６．ＭＡＣ制御メッセージ放送方法
上述したように、Ｍ２Ｍマルチキャストサービスにおいてマルチキャストトラフィックの終了を知らせるために送信するメッセージであるＭＯＢ−ＭＴＥ−ＩＮＤメッセージが定義され、同一のグループに属した端末に同時にＭ２ＭＣＩＤをアップデートするために
ＭＧＭＣメッセージが定義される。ＭＡＣ制御メッセージとしてＭＯＢ−ＭＴＥ−ＩＮＤメッセージ及びＭＧＭＣメッセージを基地局からブロードキャスト方式又はマルチキャスト方式で送信することができる。
【０１２５】
既存に送信されたＭＡＣ制御メッセージは、Ｍ２Ｍ機器と一般端末に対する区別はなく、マルチキャストとブロードキャストに対する区別しか存在していなかった。そのため、既存の方式でＭＯＢ−ＭＴＥ−ＩＮＤメッセージやＭＧＭＣメッセージを放送すると、Ｍ２Ｍ端末だけでなく既存の一般端末（ＡＭＳとＭＳ／ＳＳ）もＭ２Ｍのための放送メッセージをデコードすることになり、既存端末の不必要なブロードキャストバーストデコーディングオーバーヘッドを増加させることがあった。
【０１２６】
そこで、以下では、本発明の実施例として、一般端末の不必要なバーストデコーディングオーバーヘッドを軽減し、Ｍ２Ｍ機器の不必要なデコーディング過程を省くために、ＭＡＣ制御メッセージをブロードキャスト方式で送信する様々な方法について詳しく説明する。
【０１２７】
図３は、本発明の実施例としてＭＡＣ制御メッセージをブロードキャスト形式で送信する方法の一例を示す図である。
【０１２８】
Ｍ２Ｍ機器は基地局（ＡＢＳ）と初期ネットワーク進入過程を行うことができる。初期ネットワーク進入過程として初期レンジング過程（ＭＯＢ−ＲＮＧ−ＲＥＱ／ＲＳＰ）、機器基本性能交渉過程（ＭＯＢ−ＳＢＣ−ＲＥＱ／ＲＳＰ）及びネットワーク登録過程（ＭＯＢ−ＲＥＧ−ＲＥＱ／ＲＳＰ）を行うことができる（Ｓ３０１）。
【０１２９】
初期ネットワーク進入過程を行ったＭ２Ｍ機器は特定サービスの提供を受けるために基地局とサービスフローを生成する過程を行うことができる。例えば、Ｍ２Ｍ機器は基地局と動的サービス追加過程（ＤＳＡ  ｐｒｏｃｅｓｓ）を行うことができる。このとき、基地局はＤＳＡ過程を通じてＭ２Ｍ機器にマルチキャストデータを送信する必要がある場合、Ｍ２Ｍマルチキャスト接続識別子（Ｍ２ＭＣＩＤ）を割り当てることができる（Ｓ３０３）。
【０１３０】
以降、Ｍ２Ｍ機器は基地局に送信するデータや受信するデータがないと、遊休モードに進入するために登録解除要請（ＤＲＥＧ−ＲＥＱ）メッセージを送信する（Ｓ３０５）。
【０１３１】
また、基地局は登録解除要請メッセージに対する応答としてページング周期、ページングオフセットなどのページング情報を含む登録解除応答（ＤＲＥＧ−ＲＳＰ）メッセージをＭ２Ｍ機器に送信することができる。詳細な遊休モード動作については第１節の遊休モードに関する説明及び図２を参照されたい（Ｓ３０７）。
【０１３２】
Ｍ２Ｍ機器は、ＤＲＥＧ−ＲＳＰメッセージを受信した後に遊休モードに進入し、ページング聴取区間（ＰＬＩ：Ｐａｇｉｎｇ  Ｌｉｓｔｅｎｉｎｇ  Ｉｎｔｅｒｖａｌ）で基地局からページングメッセージ（例、ＭＯＢ−ＰＡＧ−ＡＤＶ）メッセージを受信することができる。このとき、ページングメッセージ（例、ＭＯＢ−ＰＡＧ−ＡＤＶ）は、マルチキャストトラフィック送信を指示するマルチキャストトラフィック指示子（例えば、Ａｃｔｉｏｎ  ｃｏｄｅ＝０ｂ１０）、マルチキャストトラフィック（又は、マルチキャストデータ）を受信するＭ２Ｍグループに関する情報（例えば、Ｍ２ＭＣＩＤ）、及びマルチキャストトラフィックが送信される開始時点に関する情報（ＭＴＳＴ：Ｍｕｌｔｉｃａｓｔ  Ｔｒａｆｆｉｃ  Ｓｔａｒｔ  Ｔｉｍｅ）を含むことができる（Ｓ３０９）。
【０１３３】
この時、Ｍ２Ｍ機器が受信したＭ２ＭＣＩＤが当該Ｍ２Ｍ機器の属したＭ２Ｍグループ
を表し、ページングメッセージの動作コード（すなわち、マルチキャストトラフィック指示子）が０ｂ１０に設定された場合、Ｍ２Ｍ機器のプロセッサ１２０は、Ｍ２Ｍ機器がネットワーク再進入無しでマルチキャストデータ（トラフィック）を受信するために待機するように制御することができる。
【０１３４】
したがって、Ｍ２Ｍ機器は、ＭＴＳＴで指示した時点にマルチキャストデータが送信されるリソース領域を表すリソース割当情報を含むＤＬ−ＭＡＰ  ＩＥを受信する。このとき、ＤＬ−ＭＡＰ  ＩＥには、Ｍ２Ｍ機器に送信するマルチキャストデータに対するＭ２ＭＣＩＤが含まれる（Ｓ３１１，Ｓ３１５）。
【０１３５】
以降、Ｍ２Ｍ機器は、ＤＬ−ＭＡＰ  ＩＥに含まれたリソース割当情報で表すリソース領域を通じてマルチキャストデータを受信することができる。このとき、マルチキャストデータが送信されるＭＡＣ  ＰＤＵのＭＡＣヘッダーには、当該マルチキャストデータの送信を表すＭ２ＭＣＩＤが含まれる（Ｓ３１３，Ｓ３１７）。
【０１３６】
基地局は最後のマルチキャストデータをＭ２Ｍ機器に送信した後、マルチキャストデータ送信終了指示をＭ２Ｍ機器に行うことが好ましい。そのために、基地局は、マルチキャストデータ送信終了を指示するためのＭＯＢ−ＭＴＥ−ＩＮＤメッセージを送信するためのリソース領域に関するリソース割当情報及びＭ２Ｍ管理ＣＩＤを含むＤＬ−ＭＡＰ  ＩＥを、Ｍ２Ｍ機器に送信することができる（Ｓ３１９）。
【０１３７】
すなわち、ＤＬ−ＭＡＰ  ＩＥは、ＭＯＢ−ＭＴＥ−ＩＮＤメッセージを送信するためのリソース領域を表すリソース割当情報を含むことができる（表２参照）。また、ＤＬ−ＭＡＰ  ＩＥにＭ２Ｍ管理ＣＩＤが含まれる場合、当該Ｍ２Ｍ管理ＣＩＤを持っているＭ２Ｍ機器のみが当該ＤＬ−ＭＡＰ  ＩＥをデコードすることができる。したがって、基地局は、マルチキャストデータが送信されたＭ２Ｍグループに属したＭ２Ｍ機器にのみＤＬ−ＭＡＰ  ＩＥを送信するために、ＤＬ−ＭＡＰ  ＩＥのＣＩＤフィールドにＭ２Ｍ管理ＣＩＤを挿入することができる。
【０１３８】
図３では一つのＭ２Ｍ機器のみが示されている。ただし、これは、実施例を容易に説明するためのものに過ぎず、基地局の領域には複数のＭ２Ｍ機器が属していてもよい。
【０１３９】
図３のＭ２Ｍ機器がＳ３１９段階で送信されたＤＬ−ＭＡＰ  ＩＥを正常に受信すると、Ｍ２Ｍ機器は、ＤＬ−ＭＡＰ  ＩＥに含まれたリソース割当情報が表すリソース領域を通じて、マルチキャストデータ送信終了を表すＭＡＣ制御メッセージ（すなわち、ＭＯＢ−ＭＴＥ−ＩＮＤ）を受信することができる（Ｓ３２１）。
【０１４０】
Ｓ３２１段階でＭＯＢ−ＭＴＥ−ＩＮＤメッセージはＭＡＣ  ＰＤＵによって持ち運ばれ、ＭＡＣ  ＰＤＵのＭＡＣヘッダー（例えば、ＡＧＭＨ）はＭ２Ｍ管理ＣＩＤを含むことができる。また、ＭＯＢ−ＭＴＥ−ＩＮＤメッセージが放送形態で送信される場合、Ｓ３１９段階で用いられたＭ２Ｍ管理ＣＩＤを用いることができる。
【０１４１】
また、ＭＡＣ  ＰＤＵの暗号化制御（ＥＣ）フィールドが当該ＭＡＣ  ＰＤＵが暗号化されることを表すと、当該ＭＡＣ  ＰＤＵのペイロードは暗号化されたＭＡＣ制御メッセージを含んでいると判断することができる。したがって、Ｍ２Ｍ機器は、Ｍ２Ｍ管理ＣＩＤから、当該ＭＡＣ  ＰＤＵがＭ２Ｍ機器のためのブロードキャストバーストであるか否かが確認でき、ＥＣフィールドから、ＭＡＣ  ＰＤＵに含まれたＭＡＣ制御メッセージが暗号化されたか否かが確認できる。
【０１４２】
勿論、ＭＯＢ−ＭＴＥ−ＩＮＤメッセージを運ぶＭＡＣ  ＰＤＵのＭＡＣヘッダーにＭ
２Ｍ機器のグループを識別するＭ２ＭＣＩＤが含まれ、ＭＡＣ  ＰＤＵのペイロードにＭ２Ｍ管理ＣＩＤが含まれてよい。
【０１４３】
Ｓ３２１段階でＭ２Ｍ機器がマルチキャストデータ送信が終了したことを知らせるＭＯＢ−ＭＴＥ−ＩＮＤメッセージを受信すると、Ｍ２Ｍ機器のプロセッサ１２０は、Ｍ２Ｍ機器が利用不可能区間に進入するように制御する。
【０１４４】
図４は、本発明の実施例として、ＭＡＣ制御メッセージをブロードキャスト形式で送信する方法の他の例を示す図である。
【０１４５】
Ｓ４０１段階乃至Ｓ４１１段階は、Ｓ３０１段階乃至Ｓ３１７段階と略同様である。そのため、図４のＳ４０１段階乃至Ｓ４１１段階についての説明は、図３の説明に代えるものとする。ただし、図４でＭ２Ｍ機器は現在一般モード状態であるため、図３のＳ３０５段階Ｓ３０７段階は行わない。すなわち、Ｍ２Ｍ機器は遊休モード動作を行わず、基地局に接続状態（Ｃｏｎｎｅｃｔｅｄ  Ｓｔａｔｅ）にある。
【０１４６】
基地局がＭ２Ｍ機器にマルチキャストデータを送信した後に、マルチキャスト接続識別子（Ｍ２ＭＣＩＤ）を更新する必要が発生することがある（Ｓ４１３）。
【０１４７】
この場合、基地局は、更新されたＭ２ＭＣＩＤを該当のマルチキャストグループに属したＭ２Ｍ機器に送信するために、更新された新しいＭ２ＭＣＩＤを含むＭＧＭＣメッセージをＭ２Ｍ機器に送信しなければならない。そのために、基地局はＭ２Ｍ機器に対するマルチキャストＭＡＣ制御メッセージ（すなわち、ＭＧＭＣ）を送信するためのリソース領域を表すリソース割当情報を含むＤＬ−ＭＡＰ  ＩＥをＭ２Ｍ機器に送信することができる（Ｓ４１５）。
【０１４８】
Ｓ４１５段階で、ＤＬ−ＭＡＰ  ＩＥは、表２で説明したフォーマットを有することができる。接続状態においてＳ４１５段階のＤＬ−ＭＡＰ  ＩＥを受信したＭ２Ｍ端末は、ＣＩＤフィールドに含まれたＭ２ＭＣＩＤ及び／又はＭ２Ｍ管理ＣＩＤを確認することによって当該ＤＬ−ＭＡＰ  ＩＥがＭ２Ｍ機器に対するものであることが確認できる。したがって、Ｍ２Ｍ機器は、ＤＬ−ＭＡＰ  ＩＥに含まれたリソース割当情報が指示するリソース領域を通じてＭＡＣ制御メッセージであるＭＧＭＣメッセージを受信することができる（Ｓ４１７）。
【０１４９】
Ｓ４１７段階でＭＡＣ制御メッセージであるＭＧＭＣメッセージはＭＡＣ  ＰＤＵを用いて送信することができる。このとき、ＭＡＣ  ＰＤＵのＭＡＣヘッダー（例、ＡＧＭＨ）に含まれるＣＩＤフィールドは、当該ＭＡＣ  ＰＤＵがＭ２Ｍ機器に対するＭＡＣ制御メッセージを含んでいることを表すためのＭ２Ｍ管理ＣＩＤ又はＭ２ＭＣＩＤを含むことができる。また、ＭＡＣヘッダーのＥＣフィールドは、当該ＭＡＣ  ＰＤＵのペイロードが暗号化されるか否かを表す。
【０１５０】
仮に、一般端末がＳ４１７段階のＤＬ−ＭＡＰ  ＩＥを受信した場合、一般端末はＭ２ＭＣＩＤ及び／又はＭ２Ｍ管理ＣＩＤを持っておらず、当該ＤＬ−ＭＡＰ  ＩＥをデコードすることができない。したがって、一般端末はＤＬ−ＭＡＰ  ＩＥ及びＭＧＭＣメッセージを受信しなくて済む。
【０１５１】
勿論、ＭＧＭＣメッセージを持ち運ぶＭＡＣ  ＰＤＵのＭＡＣヘッダーはＭ２Ｍ機器のグループを識別するＭ２ＭＣＩＤを含むことができ、ＭＡＣ  ＰＤＵのペイロードはＭ２Ｍ管理ＣＩＤを含むことができる。
【０１５２】
図５は、本発明の実施例として、基地局でＭＡＣ制御メッセージをブロードキャスト形式で送信する過程を示すフローチャートである。
【０１５３】
図５は図３及び図４で説明した本発明の実施例に適用することができる。すなわち、図３及び図４で説明した実施例の基地局が図５の過程を通じてＭＡＣ制御メッセージをＭ２Ｍ端末に送信することができる。
【０１５４】
図５を参照すると、基地局でＭ２Ｍ特定ＭＡＣ制御メッセージを構成する（Ｓ５１０）。
【０１５５】
基地局は、当該ＭＡＣ制御メッセージが一つ以上のＭ２ＭＣＩＤ又はＭ２ＭＣＩＤで特定される一つ以上のＭ２Ｍグループに対するＭＡＣ制御メッセージであるか否かを判断する（Ｓ５２０）。
【０１５６】
仮に、Ｓ５２０段階で当該ＭＡＣ制御メッセージが一つのＭ２Ｍグループに対するＭＡＣ制御メッセージと判断されると、基地局は、Ｍ２ＭＣＩＤを用いてＭＡＣ制御メッセージをマルチキャスト形式で送信する（Ｓ５５０）。
【０１５７】
仮に、Ｓ５２０段階で当該ＭＡＣ制御メッセージが一つ以上のＭ２Ｍグループに対するＭＡＣ制御メッセージと判断されると、基地局は、当該ＭＡＣ制御メッセージが含まれるＭＡＣ  ＰＤＵのＭＡＣヘッダーのＣＩＤフィールドにＭ２Ｍ管理ＣＩＤを設定してＭＡＣ  ＰＤＵを構成する（Ｓ５３０）。
【０１５８】
また、基地局は、ＭＡＣ  ＰＤＵ（すなわち、ＭＰＤＵ）に対するＰＨＹバーストを構成した後、ＤＬ−ＭＡＰ  ＩＥのＣＩＤフィールドにＭ２Ｍ管理ＣＩＤを設定する。以降、基地局は、当該ＰＨＹバーストが送信されるリソース領域を指示するリソース割当情報及び当該Ｍ２Ｍ管理ＣＩＤを含むＤＬ−ＭＡＰ  ＩＥをＭ２Ｍ機器に送信する。その後、基地局は、リソース割当情報で指示するリソース領域を通じてＭＡＣ制御メッセージ及びＭ２Ｍ管理ＣＩＤを含むＭＡＣ  ＰＤＵをＭ２Ｍ機器に放送形態で送信する（Ｓ５４０）。
【０１５９】
図６は、本発明の実施例として、ブロードキャスト形式で送信されるＭＡＣ制御メッセージをＭ２Ｍ機器で受信する過程を示すフローチャートである。
【０１６０】
図６は、図３及び図４で説明した本発明の実施例に適用することができる。すなわち、図３及び図４で説明した実施例のＭ２Ｍ機器が、図６の過程を通じてＭＡＣ制御メッセージを受信することができる。図６は、図５で説明した基地局の観点に対応するＭ２Ｍ機器の観点から本発明の実施例を説明するものである。
【０１６１】
図６を参照すると、Ｍ２Ｍ機器は、自身が保有しているＭ２Ｍ管理ＣＩＤを用いてＤＬ−ＭＡＰ  ＩＥを受信することができる。このとき、Ｍ２Ｍ管理ＣＩＤは、システム上で予め設定された値であり、Ｍ２Ｍ機器のみが有することができる（Ｓ６１０）。
【０１６２】
したがって、全てのＭ２Ｍ機器は、Ｍ２Ｍ管理ＣＩＤを含むＤＬ−ＭＡＰ  ＩＥを受信することができる。また、Ｍ２Ｍ機器は、ＤＬ−ＭＡＰ  ＩＥに含まれたリソース割当情報が指示するリソース領域を通じて放送されたＭＡＣ  ＰＤＵを含んでいるＤＬバーストをデコードすることができる（Ｓ６２０）。
【０１６３】
このとき、ＭＡＣ  ＰＤＵのヘッダーにはＭ２Ｍ管理ＣＩＤが含まれ、Ｍ２Ｍ機器のみが当該ＭＡＣ  ＰＤＵをデコードすることができる。また、Ｍ２Ｍ機器は、ＭＡＣ  ＰＤ
Ｕに含まれたＭＡＣメッセージタイプフィールドを確認し、当該ＭＡＣ制御メッセージを分析する（Ｓ６３０）。
【０１６４】
ＭＡＣ  ＰＤＵのペイロードに含まれたＭＡＣ制御メッセージは、Ｍ２Ｍ機器の属したＭ２Ｍグループを指示するＭ２ＭＣＩＤを含むことができる。すなわち、Ｍ２Ｍ機器は、ＭＡＣ制御メッセージに当該Ｍ２Ｍ機器に割り当てられたＭ２ＭＣＩＤが含まれているか否かを判断する（Ｓ６４０）。
【０１６５】
Ｍ２Ｍ機器は、自身が持っているＭ２ＭＣＩＤがＭＡＣ制御メッセージに含まれている場合、当該メッセージをデコードし、メッセージの指示する動作を行うことができる。例えば、ＭＡＣ  ＰＤＵに含まれたＭＡＣ制御メッセージがＭＯＢ−ＭＴＥ−ＩＮＤメッセージであると、Ｍ２Ｍ機器はマルチキャストデータの受信を中止し、ページング不可区間に進入する。また、ＭＡＣ制御メッセージがＭＧＭＣメッセージであると、Ｍ２Ｍ機器は、ＭＧＭＣメッセージに含まれた新しいＭ２ＭＣＩＤを更新することができる。
【０１６６】
本発明の実施例で説明したように、Ｍ２Ｍ管理ＣＩＤは、全てのＭ２Ｍ機器に割り当てられた識別子で、Ｍ２Ｍ機器のための制御メッセージ送信に用いられる。すなわち、Ｍ２Ｍ管理ＣＩＤを含むメッセージを全てのＭ２Ｍ機器が受信することができる。ただし、特定Ｍ２Ｍ機器の属したＭ２Ｍグループに対してはＭ２ＭＣＩＤで識別され、特定Ｍ２Ｍ機器は、自身の持っているＭ２ＭＣＩＤと一致するＭ２ＭＣＩＤを含むＭＡＣ制御メッセージを受信することができる。
【０１６７】
本発明は、本発明の精神及び必須特徴から逸脱しない範囲で他の特定の形態に具体化することができる。したがって、上記の詳細な説明はいずれの面においても制限的に解釈してはならず、例示的なものとして考慮しなければならない。本発明の範囲は、添付する請求項の合理的解釈によって決定しなければならず、よって、本発明の等価的範囲内における変更はいずれも本発明の範囲に含まれる。また、特許請求の範囲で明示的な引用関係にない請求項を結合して実施例を構成することもでき、出願後の補正によって新しい請求項として含めることもできる。
【産業上の利用可能性】
【０１６８】
本発明の実施例は、様々な無線接続システムに適用することができる。様々な無線接続システムの一例として、３ＧＰＰ（３ｒｄ  Ｇｅｎｅｒａｔｉｏｎ  Ｐａｒｔｎｅｒｓｈｉｐ  Ｐｒｏｊｅｃｔ）、３ＧＰＰ２及び／又はＩＥＥＥ  ８０２．ｘｘ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ  ８０２）システムなどがある。本発明の実施例は、これらの様々な無線接続システムの他、これら様々な無線接続システムを応用した如何なる技術分野にも適用することができる。
【図１】
0005770948.tif 000007
【図２】
0005770948.tif 000008
【図３】
0005770948.tif 000009
【図４】
0005770948.tif 000010
【図５】
0005770948.tif 000011
【図６】
0005770948.tif 000012